(57)【要約】      （修正有）【課題】耳垢をとる作用性を低下させることなく空き時間に耳ツボや耳内部ツボを優しく押すことのできるようにした耳掻きを提供する。【解決手段】棒状軸部３と該軸部一端にスプーン形状部４を有し且他端に軟質部材５を有する耳掻き１において、前記軟質部材５から軸方向に突出６する弾性体２を固定部材９を介して設ける。そのスプーン形状部の耳垢を掻きとる曲度の凹みや曲がりに適する作用性と共に一端形成とするそのスプーン形状部で取り残す細かい耳垢をその軟質部材で優しく後処理ができ更にその突出する弾性体により耳に多数ある疲労回復のツボやダイエットや顔やせツボとするリンパ等の血行流れを促し尚その耳掻きを耳穴内にその耳掻きを差し込むことによりその弾性体で快楽刺激を得られる部材とするそれぞれのツボ優しく押すことができるものとする。【選択図】図１
0003198156.tif 000002
【実用新案登録請求の範囲】
【請求項１】
棒状軸部（３）と該軸部一端にスプーン形状部（４）を有し且他端に軟
質部材（５）を有する耳掻き（１）において、前記軟質部材（５）から軸
方向に突出（６）する弾性体（２）を固定部材（９）を介して設けたこと
を特徴とする耳掻き。
【請求項２】
前記スプーン形状部と軸部の少なくとも一部に当接する第二の軟質部
材を設けると共に該スプーン形状部から先端に向かって且該第二の軟質
部材から突出する第二の突出部を有しそれぞれを固定部材を介して設け
たことを特徴とする請求項１記載の耳掻き。
【請求項３】
前記弾性体の周面から突出するように該弾性体からなる少なくとも一
つ以上の突起を有すことを特徴とする請求項１記載の耳掻き。
【請求項４】
前記弾性体から突出する突起を複数の大きさとすることを特徴とす
る請求項１乃至３のいずれか一項に記載の耳掻き。
【請求項５】
前記弾性体周面の少なくとも一部に複数の短毛部を有してなることを
特徴とする請求項１乃至４のいずれか一項に記載の耳掻き。
【請求項６】
前記弾性体突出先端部を球面としたことを特徴とする請求項１乃至５
のいずれか一項に記載の耳掻き。
【請求項７】
前記弾性体突出先端部を平面としたことを特徴とする請求項１乃至６
のいずれか一項に記載の耳掻き。
【請求項８】
前記スプーン形状部と隣接するように前記棒状軸部に第二の軟質部材
を設けたことを特徴とする請求項２記載の耳掻き。
【請求項９】
前記スプーン形状部に係る第二の軟質部材を該スプーン形状部と棒状
軸部のそれぞれの表面側に少なくとも一部に当接するように該当接を固
定部材を介して設けたことを特徴とする請求項１乃至８のいずれか一項
に記載の耳掻き。
【請求項１０】
前記弾性体を介して滑材を設けたことを特徴とする請求項１乃至９の
いずれか一項に記載の耳掻き。
【請求項１１】
前記耳掻きを木製で形成したことを特徴とする請求項１乃至１０のい
ずれか一項に記載の耳掻き。
【請求項１２】
前記木製をつげとしたことを特徴とする請求項１１記載の耳掻き。
【請求項１３】
前記棒状軸部一端を該軸部肉厚よりスプーン形状部にかけて徐々に肉厚
を薄くしたことを特徴とする請求項１乃至１２のいずれか一項に記載の耳
掻き。
【請求項１４】
前記軸部を半円柱としたことを特徴とする請求項１乃至１３のいずれ
か一項に記載の耳掻き。
【請求項１５】
前記半円柱の平面部と平行に軸方向に長い一つ以上の第二の平面部が
あることを特徴とする請求項１乃至１４のいずれか一項に記載の耳掻き。
【請求項１６】
前記軟質部材または第二の軟質部材及び弾性体のそれぞれの少なくと
も一つを軸方向に長い形状となるように形成したことを特徴とする請求
項１乃至１５のいずれか一項に記載の耳掻き。
【請求項１７】
前記軟質部材または第二の軟質部材のそれぞれの少なくとも一つを円
球もしくはほぼ円球視のそれぞれのどちらか一方で形成することを特徴
とする請求項１乃至１６のいずれか一項に記載の耳掻き。
【請求項１８】
前記第二の軟質部材周面を一周連通する少なくとも一つ以上の溝を設
けたことを特徴とする請求項１乃至１７いずれか一項に記載の耳掻き。
【請求項１９】
前記軟質部材と第二の軟質部材及び弾性体の少なくとも一部が棒状軸部
より肉厚の厚い形状部とすることを特徴とする請求項１乃至１８のいずれ
か一項に記載の耳掻き。
【請求項２０】
前記軟質部材と第二の軟質部材及び弾性体のそれぞれの少なくとも一
つを多孔質としたことを特徴とする請求項１乃至１９のいずれか一項に
記載の耳掻き。
【請求項２１】
前記第二の軟質部材をスプーン形状部と接する前方から後方にかけて
少なくとも一部を固着したことを特徴とする請求項１乃至２０のいずれ
か一項に記載の耳掻き。  
【請求項２２】
前記第二の軟質部材に網目部材を被覆したことを特徴とする請求項１
乃至２１のいずれか一項に記載の耳掻き。
【請求項２３】
前記網目部材に該網目表面の凹凸を残すように滑材を積雪させたこと
を特徴とする請求項１乃至２２のいずれか一項に記載の耳掻き。
【請求項２４】
前記第二の軟質部材を介して滑材を有すことを特徴とする請求項１乃
至２３のいずれか一項に記載の耳掻き。
【請求項２５】
前記スプーン形状部を介して滑材を有すことを特徴とする請求項１乃
至２４のいずれか一項に記載の耳掻き。
【請求項２６】
前記滑材をウレタンとしたことを特徴とする請求項２３乃至２５のい
ずれか一項に記載の耳掻き。
【請求項２７】
前記軟質部材と第二の軟質部材のそれぞれの少なくとも一つを綿とし
たことを特徴とする請求項１乃至２６のいずれか一項に記載の耳掻き。
【請求項２８】
前記軟質部材と第二の軟質部材及び弾性体の少なくとも一つを樹脂と
したことを特徴とする請求項１乃至２７のいずれか一項に記載の耳掻き。
【請求項２９】
前記耳掻きに顔料で着色したことを特徴とする請求項１乃至２８のい
ずれか一項に記載の耳掻き。
【請求項３０】
前記耳掻きを介して該耳掻きの少なくとも一部に蛍光部があることを
特徴とする請求項１乃至２９のいずれか一項に記載の耳掻き。
【請求項３１】
前記弾性体を棒状軸部よりクッション部材としたことを特徴とする請
求項１乃至３０のいずれか一項に記載の耳掻き。
【請求項３２】
前記第二の軟質部材の周面を異なる方向で交差する複数の溝を設けた
ことを特徴とする請求項１乃至３１のいずれか一項に記載の耳掻き。
【考案の詳細な説明】
【技術分野】
【０００１】
本考案は棒状軸部に係るスプーン形状部は仮に軟質部材からなる楕円
体や長円状からなる綿棒等の特性に属さない耳の最奥凹部広域から耳垢
を快適に運び出すという非常によい形状となることやまたそのスプ―ン
形状部形成と逆端形成とする軟質部材の仮に綿毛はそのスプーン形状部
で取り残す細かい耳垢を優しく処理できるというそれぞれの形状を有す
部材を生かすその耳構造範囲に機転をスムーズに行えるように有効活用
する為その軟質部材から軸方向に突出する弾性体を固定部材を介して設
けることによりそのスプーン形状部と軟質部材のそれぞれを有す耳掻き
で耳垢の掻き出し後やまた時間の合間にその軟質部材から軸方向に突出
する弾性体部により耳に多数ある耳ツボに属すダイエットツボや顔やせ
ツボまたは疲労回復のツボ等をその耳垢処理後に繋げることにより女性
が好むそのダイエットを目指す女性目線でも会社で疲れやすいサラリー
マン等に気軽に空いた時間で使用できるものとなりまたその弾性体の伸
縮感により硬い接触を感じることなく優しくその耳ツボを押すことがで
きると共に尚特に新たなる形成として快楽と感じ得る普段振れることと
しない人が感じやすい急所にリラク効果を与える為その耳掻きをその弾
性体方向から差し込みゆっくり挿入案内することにより該弾性体は安定
した状態からその耳穴内の血流を即すこともでき特に耳穴内は神経に近
く該神経が集中している部分となる為くすぐったいイメージの一歩手前
の癒しの快楽を得られるものとなり尚その軟質部材から突出するその弾
性体周面とする軟質部材素材面によりその弾性体をなる外耳道等への接
触感覚を優しいものとし尚その弾性体を棒状軸部に固定部材を介し設け
ることによりそれぞれの形成からなる部材はその棒状軸部から取れにく
いものとなる為の破損を防ぐものとなりそれらの形成によりその耳掻き
は使用幅に変化を与える為ごく身近な目先のテーブルにある実用的な快
適製品になることやまたその耳掻きを会社等に好んで持ち運ぶこととな
る血行良好イコール笑顔の生む構成となりその耳内はそれぞれのツボと
異なる場所とする為人が気づきにくい新たなる急所ツボとなる。
【背景技術】
【０００２】
耳掻きは耳垢を除去することに関しよい構成とする形成は様々あるが
その耳垢処理に繋がる日々蓄積する疲労等を取り除いてくれる耳掻き形
状はごくわずかとなり従来硬く形成された耳ツボを押すことが可能な耳
掻き部材があるがその硬い部材は人間の脳が該硬いと認識情景反射する
その一端形成且他端等を耳穴の非常に軟らかい外耳道に使用するという
怖さもありその耳外ツボによりその耳の血流をよくし気持ち良くするこ
とが可能であるがその耳内とする外耳道の軟らかい部分を刺激するとい
うくすぐったいという感性に近い快楽を優しく接し与えることができる
部材はツボ押しとは異なる場所とする為ほぼ無いに等しくまた仮に指で
その耳ツボを押しても逆に手や腕等が疲れてしまうことがありその棒状
軸部に形成されるスプーン形状部からなる耳垢を掬いやすい外耳道波状
部や該耳の最奥からなる一段窪む凹部に効率よく対応可能な耳掻き兼耳
ツボ形成がなく机等の奥に眠る時間が多い利用頻度が限られた部材であ
りまたその棒状軸部の一端形成とする耳掻きを除去する作用性と共に他
端形成とするツボ押し部はその一端形成で取り残す細かい耳垢を該ツボ
押し部には仮に綿毛のような軟質素材面がない為細かい耳垢を除去する
ことが困難な一作用の耳垢処理となる形成であった。
【先行技術文献】
【特許文献】
【０００３】
【特許文献１】特開２０１２−０３００２８号公報
【考案の概要】
【考案が解決しようとする課題】
【０００４】
耳掻きを該耳掻きにより耳垢を除去する効果を損ねることなく耳外また
は特に耳内から疲れを癒やすことができる形状とする為その棒状軸部一端
スプ―ン形状部とするその耳構造からなる外耳道の曲がりくねり且耳の最
奥とする凹部域に蓄積する耳垢を除去する為にもっとも最適なその凹部等
にパズルのようなイメージ重ねることができるそのスプーン形状部のもっ
ともよい湾曲端と共に他端を軟質部材と該軟質部材から軸方向に突出する
弾性体を形成することによりまずその軟質部材の素材面は耳内に優しく接
する綿毛等の表面でそのスプーン形状部で取り残す細かい耳垢を処理する
と共にその軟質部材から突出する弾性体により複数の耳ツボとするダイエ
ット且顔痩せツボや疲労回復等のツボまたは特にその耳掻きを耳内に差し
込みその弾性体先端部且周面を利用して耳内ツボとするそれぞれのツボを
個々の時間の合間等に耳に違和感を与えることなく優しく押せるものとす
る為脳内血流や眼精疲労またはリンパに溜まりやすい疲れを促すことがで
きるものとなり尚仮にその軟質部材から突出する弾性体を軸方向に対し該
軟質部材の前後から突出させることによりその軟質部材から前突出長さイ
コールその部材表面積を兼ねてプラス該軟質部材から後突出長さイコール
その部材表面積のそれぞれの表面積をプラスさせることにより耳内との接
触値が増すこととなる為その小さい耳穴に対し広域な表面積となるその弾
性体周面で確実に耳内マッサージを行うことができるものとする。
【課題を解決するための手段】
【０００５】
本考案１は
棒状軸部（３）と該軸部一端にスプーン形状部（４）を有し且他端に軟
質部材（５）を有する耳掻き（１）において、前記軟質部材（５）から軸
方向に突出（６）する弾性体（２）を固定部材（９）を介して設けたこと
を特徴とする耳掻きを提供。
【０００６】
本考案２は  
前記スプーン形状部と軸部の少なくとも一部に当接する第二の軟質部材
を設けると共に該スプーン形状部から先端に向かって且該第二の軟質部
材から突出する第二の突出部を有しそれぞれを固定部材を介して設けた
ことを特徴とする耳掻きを提供。
【０００７】
本考案３は
前記弾性体の周面から突出するように該弾性体からなる少なくとも一つ
以上の突起を有すことを特徴とする耳掻きを提供。
【０００８】
本考案４は
前記弾性体から突出する突起を複数の大きさとすることを特徴とする
耳掻きを提供。
【０００９】
本考案５は
前記弾性体周面の少なくとも一部に複数の短毛部を有してなることを特
徴とする耳掻きを提供。
【００１０】
本考案６は  
前記弾性体突出先端部を球面としたことを特徴とする耳掻きを提供。
【００１１】
本考案７は  
前記弾性体突出先端部を平面としたことを特徴とする耳掻きを提供。
【００１２】
本考案８は
前記スプーン形状部と隣接するように前記棒状軸部に第二の軟質部材を
設けたことを特徴とする耳掻きを提供。
【００１３】
本考案９は
前記スプーン形状部に係る第二の軟質部材を該スプーン形状部と棒状軸
部のそれぞれの表面側に少なくとも一部に当接するように該当接を固定
部材を介して設けたことを特徴とする耳掻きを提供。
【００１４】
本考案１０は
前記弾性体を介して滑材を設けたことを特徴とする耳掻きを提供。
【００１５】
本考案１１は  
前記耳掻きを木製で形成したことを特徴とする耳掻きを提供。
【００１６】
本考案１２は  
前記木製をつげとしたことを特徴とする耳掻きを提供。
【００１７】
本考案１３は  
前記棒状軸部一端を該軸部肉厚よりスプーン形状部にかけて徐々に肉厚
を薄くしたことを特徴とする耳掻きを提供。
【００１８】
本考案１４は  
前記軸部を半円柱としたことを特徴とする耳掻きを提供。
【００１９】
本考案１５は
前記半円柱の平面部と平行に軸方向に長い一つ以上の第二の平面部があ
ることを特徴とする耳掻きを提供。
【００２０】
本考案１６は
前記軟質部材または第二の軟質部材及び弾性体のそれぞれの少なくとも
一つを軸方向に長い形状となるように形成したことを特徴とする耳掻き
を提供。
【００２１】
本考案１７は  
前記軟質部材または第二の軟質部材のそれぞれの少なくとも一つを円球
もしくはほぼ円球視のそれぞれのどちらか一方で形成することを特徴と
する耳掻きを提供。
【００２２】
本考案１８は  
前記第二の軟質部材周面を一周連通する少なくとも一つ以上の溝を設け
たことを特徴とする耳掻きを提供。
【００２３】
本考案１９は
前記軟質部材と第二の軟質部材及び弾性体の少なくとも一部が棒状軸部
より肉厚の厚い形状部とすることを特徴とする耳掻きを提供。
【００２４】
本考案２０は
前記軟質部材と第二の軟質部材及び弾性体のそれぞれの少なくとも一つ
を多孔質としたことを特徴とする耳掻きを提供。
【００２５】
本考案２１は  
前記第二の軟質部材をスプーン形状部と接する前方から後方にかけて少
なくとも一部を固着したことを特徴とする耳掻きを提供。
【００２６】
本考案２２は  
前記第二の軟質部材に網目部材を被覆したことを特徴とする耳掻きを提
供。
【００２７】
本考案２３は
前記網目部材に該網目表面の凹凸を残すように滑材を積雪させたことを
特徴とする耳掻きを提供。
【００２８】
本考案２４は  
前記第二の軟質部材を介して滑材を有すことを特徴とする耳掻きを提供。        
【００２９】
本考案２５は  
前記スプーン形状部を介して滑材を有すことを特徴とする耳掻きを提供。
【００３０】
本考案２６は  
前記滑材をウレタンとしたことを特徴とする耳掻きを提供。
【００３１】
本考案２７は
前記軟質部材と第二の軟質部材のそれぞれの少なくとも一つを綿とした
ことを特徴とする耳掻きを提供。
【００３２】
本考案２８は
前記軟質部材と第二の軟質部材及び弾性体の少なくとも一つを樹脂とし
たことを特徴とする耳掻きを提供。
【００３３】
本考案２９は  
前記耳掻きに顔料で着色したことを特徴とする耳掻きを提供。
【００３４】
本考案３０は
前記耳掻きを介して該耳掻きの少なくとも一部に蛍光部があることを特
徴とする耳掻きを提供。
【００３５】
本考案３１は
前記弾性体を棒状軸部よりクッション部材としたことを特徴とする耳掻
きを提供。
【００３６】
本考案３２は
前記第二の軟質部材の周面を異なる方向で交差する複数の溝を設けたこ
とを特徴とする耳掻きを提供。
【考案の効果】
【００３７】
本考案１は
棒状軸部（３）と該軸部一端にスプーン形状部（４）を有し且他端に軟
質部材（５）を有する耳掻き（１）において、前記軟質部材（５）から
軸方向に突出（６）する弾性体（２）を固定部材（９）を介して設けた
ことを特徴とする為その棒状軸部一端スプーン形状部は耳穴入口の大き
さに対し該耳穴の最奥は凹部が広域に広がる為該凹部に蓄積する耳垢を
その凹部とそのスプーン形状部の凸部のそれぞれはパズルのようなイメー
ジで接し合わせることができ且掻き出すことができ仮に綿棒とする楕円
体や長円体のそれぞれの形状にはないその最奥の耳垢処理を難なく行え
るというその一端形成と共に他端を軟質部材と該軟質部材から軸方向に
突出する弾性体のそれぞれを形成することによりその軟質部材の仮に綿
毛により耳内に優しく接しながら耳垢の後処理ができるその作用面を介
するその軟質部材から突出する弾性体はまず仮にその軟質部材内部から
その弾性体を突出する方法やその軟質部材周部の少なくとも一部と接する
部分からのその弾性突出またはその軸方向に対しその軟質部材前後からの
突出させる該前後となる広表面積を兼ねるそれぞれの介し形成がありそれ
ぞれの突出により耳垢処理後や時間の合間に耳ツボとなる１１０のツボを
自己の体調や使用に合わせて目的とする部分にその弾力で優しく押し使用
できるものとなりそれぞれのツボには肌艶をよくする美用のツボやダイエ
ットまたは顔痩せを即すツボや尚毎日の健康を維持する為の様々なツボが
あり女性や仕事疲れのサラリーマン等が外出先や休憩時間等に使用し血流
を促すことにより笑顔が生まれる構成となりまた特に良効果向上目的とす
るその耳掻きを耳穴に差し込み普段ふれることない人が気づきにくいそれ
ぞれのツボとは異なる新たな耳穴内部の刺激を与えることができその耳に
繋がる神経の疲れを癒し日々の体調管理が健康につながり勉強疲れや仕事
と疲れまたは家事の疲れ等をその普段押せない耳内ツボを単純であるが楽
しみながら体内とする耳内を刺激できる快楽を得ることのできる笑顔の生
まれる形成となりそれは該快楽を得る内外耳ツボからなる該ツボの集中イ
コール神経の集中部となり良い部材は沢山あるがその快楽に結びつける形
成はごくわずか少ないものとなりその他端形成の良い面は特にその弾性体
の耳外ツボ押し同時耳内部に刺激を与えることを新たに加え更にその軟質
素材面で耳垢を除去なせる３種の作用点を持つこととなる今までの形成は
残しつつ作用させると共に追加形成を与えるものとなり機能性は多機能性
へと変化させ今まで従来形成とする耳掻きの形状を好みとする多くの人た
ちが機能性の低下で使用できなくなることを防ぎ更にその軟質部材と該軟
質部材から突出する弾性体を棒状軸部に固定部材を介して設けることによ
り壊れにくい耳掻きの他端形成となりその耳内に接する弾性体は該弾性体
周面等にある軟質部材を介して耳内に接触させることができる為その弾性
体の表面による該軟質素材性により接触感を優しいものとする。
【００３８】
本考案２は
前記スプーン形状部と軸部の少なくとも一部に当接する第二の軟質部材を
設けると共に該スプーン形状部から先端に向かって且該第二の軟質部材か
ら突出する第二の突出部を有しそれぞれを固定部材を介して設けたことを
特徴とする為その第二の軟質部材から突出するスプーン形状部とする第二
の突出部により特に耳の最奥に蓄積する耳垢を該スプーン形状部の曲がり
により除去しやすい形状とすると共にそのスプーン形状部と軸部の少なく
とも一部に設けたその第二の部材の材質肉厚分の厚みを利用してその耳掻
きを耳内で安定させると共に該安定イコールその耳掻きの挿入案内の怖さ
をほぼなくしまたその第二の軟質部材の最高肉厚部を介してスプーン形状
部の先端部を耳の内側面に接触させるため耳内を傷め傷つけることなく安
全に耳垢処理が行える為耳掻きを楽しむことができ低学年から高齢者に限
らず安心感を得られる形状としまたその固定部材によりその第二の軟質部
材はその棒状軸部から取れにくいものとなる。
【００３９】
本考案３は
前記弾性体の周面から突出するように該弾性体からなる少なくとも一つ以
上の突起を有すことを特徴とする為その弾性体の周面から突出するように
該弾性体からなる少なくとも一つ以上の突起を有すことにより一度に複数
のツボを押せるようになることやまたその弾性体部を耳穴に差し込むこと
により軸で押すことやその軸を回転させることまたはその軸の可動可能な
方向等に振れさせるそれぞれによりその一つ以上から複数突起がその耳穴
内を刺激し血行を促すことができるものとなり耳回りと共に耳穴内を同時
にマッサージが行える快楽形状となる。
【００４０】
本考案４は
前記弾性体から突出する突起を複数の大きさとすることを特徴とする為仮
にその複数の大きさの一例としてまずその複数突起側面からそれぞれの小
突起を形成することによりその該小突起を有すそれぞれの突起は耳内を凹
凸感を与えやすい形成とする為その耳掻きに係る棒状軸部を回転させるこ
とによりその耳内にマッサージ効果を高めるものとしまた仮にその弾性体
周面となる軸方向に前方から後方にかけて徐々にその突起高さを低から高
へと高くする大きさとすることによりその低を有する弾性先端部により耳
に挿入しやすい形成とする。
【００４１】
本考案５は
前記弾性体周面の少なくとも一部に複数の短毛部を有してなることを特徴
とする為仮に形成一例となるがその弾性体周面部に短毛を有すことその耳
掻きとする該他端方向から耳穴に差し込みその軸を回転等で回すことによ
りその耳内にそれぞれの短い毛先が耳内を心地よく刺激し笑顔を生みなが
ら快楽を楽しむ形成とし該快楽イコール笑顔イコール血行促進とする健康
に繋げるものとする。
【００４２】
本考案６は
前記弾性体突出先端部を球面としたことを特徴とする為その弾性体突出先
端部球面としたことにより該球により仮にその棒状軸部端の一支点で耳ツ
ボを押すより力を円球全支点とすることにより優しくその耳ツボを刺激す
るものとする。
【００４３】
本考案７は
前記弾性体突出先端部を平面としたことを特徴とする為その突出先端部を
平面としたことにより一度に広範囲に指圧できまたその平面による係る圧
力の分散率が高まる為そのツボに優しく押すことができる形成とする。
【００４４】
本考案８は
前記スプーン形状部と隣接するように前記棒状軸部に第二の軟質部材を設
けたことを特徴とする為そのスプーン形状部と隣接するように前記棒状軸
部に第二の軟質部材を設けたことによりその形成は微量差で異なるが本考
案２とほぼ同一作用体となるがその第二の軟質部材をスプーン形状部の表
面積を残し生かすようにその軸部と指定して設けることによりスプーン形
状部の面積の確保が得られると同時に形成によるがそのスプーン体と軟質
部材の境目に耳垢の目詰りをしにくい形状としその隣接は部材は変形し形
を変えその部材一も変わる場合もある為それぞれの部材同士がかけ離れす
ぎなければ離間隣接でもよいとする。
【００４５】
本考案９は
前記スプーン形状部に係る第二の軟質部材を該スプーン形状部と棒状軸部
のそれぞれの表面側に少なくとも一部に当接するように該当接を固定部材
を介して設けたことを特徴とする為その表面側の軟質性を介して使用でき
る耳掻きはその裏面側する第二の軟質部材をなくすことにより該第二の軟
質部材の肉厚は薄くなり親がその耳垢除去を行う子供の耳に適する大きさ
となりまたその表面側の第二の軟質部材を介することにより該第二の軟質
部材のワンクッションからスプーン形状先端部を耳の内に接触させること
ができる為まだ未発達の該耳穴内部を傷めることなく耳掻きを行うことが
でき尚その親が子供の耳垢を取るという怖さをその肉厚部による耳掻きの
表面安定によりほぼ該怖さをなくし更にその耳掻きの裏面側は部材のない
面とする為耳内をできるようになり耳垢位置を見ながら耳垢を取り除くこ
とができる。
【００４６】
本考案１０は
前記弾性体を介して滑材を設けたことを特徴とする為その弾性体に該弾性
体を介して滑材を設けたことによりその弾性体は良く滑るようになり快適
に複数ある耳ツボ移動をスムーズに行えるものとする。
【００４７】
本考案１１は
前記耳掻きを木製で形成したことを特徴とする為その耳掻きを木製で形成
することによりその木は湾曲しにくい為それぞれある複数ツボをしなるこ
となく垂直に真っすぐ押しやすい形成とすると共に仮に竹でその耳掻きを
形成すると力の欠け具合で湾曲度が異なりイコール力の誤差が生じること
やその竹の質感はやや硬い為その耳掻きを木製とすることによりその木は
湾曲を抑え一定の力が係りやすくすると共にその木は竹よりそれぞれの硬
度の違いにより植物内部繊維構造が軟らかくキメは細かくない為優しい質
感となりその竹は太陽に向かってより高く生き抜く植物とする為該高さを
維持しようとする為太さがない分硬さを持ち兼ねその木製は耳内側面に優
しく接し掻き出すことができる耳穴を傷めにくいものとする。
【００４８】
本考案１２は
前記木製をつげとしたことを特徴とする為その木製をつげとしたことその
つげは少し高価な木工芸品等に使われその質感は滑りが良く耳穴への挿入
案内をスムーズに行うとその該滑りにより耳内を傷めることを防ぐものと
し共にそのつげは丈夫な部材となりそのツボへの刺激も垂直に押しやすい
部材となる。
【００４９】
本考案１３は
前記棒状軸部一端を該軸部肉厚よりスプーン形状部にかけて徐々に肉厚を
薄くしたことを特徴とする為その棒状軸部一端を該軸部肉厚よりスプーン
形状部にかけて徐々に肉厚を薄くしたことによりその棒状軸部から徐々に
薄くなるスプーン形状部の薄さにより耳穴に挿入しやすくなる。
【００５０】
本考案１４は
前記軸部を半円柱としたことを特徴とする為その軸部を半円柱とすること
によりその半円柱からなる平面部を利用して耳掻きを持つ手からを滑りに
くいものとしまたその円周部を利用してその耳掻きを半回転させやすい形
成とする。
【００５１】
本考案１５は
前記半円柱の平面部と平行に軸方向に長い一つ以上の第二の平面部がある
ことを特徴とする為その半円柱の平面部と平行に軸方向に長い一つ以上の
第二の平面部があることによりその半円柱の平面部と共に該平面部と平行
一つ以上の平面部のそれぞれを指や手で挟むことによりその耳掻きをツボ
に刺激しやすい持ちやすい形成としまたその平面部を軸方向に長い形状と
することにより指で耳掻きを挟む該長さなる間隔を確保できるようになる。
【００５２】
本考案１６は
前記軟質部材または第二の軟質部材及び弾性体のそれぞれの少なくとも一
つを軸方向に長い形状となるように形成したことを特徴とする為まずその
弾性体の係るその軟質部材を軸方向に長い形状とすることにより該長さを
介して耳内で安定させやすくさせ耳内へ刺激しやすい形状としまたその第
二の軟質部材を軸方向に長い形状とすることにより耳に挿入しやすい形状
とすると共に該形状の長さによりその耳掻きを安定させイコール耳掻きを
使用する怖さをなくすものとなりまたその弾性体を軸方向に長い形状とす
ることにより該長さイコール表面積の確保となる為その広表面積により耳
内へ刺激させやすい面積となる。
【００５３】
本考案１７は
前記軟質部材または第二の軟質部材のそれぞれの少なくとも一つを円球も
しくはほぼ円球視のそれぞれのどちらか一方で形成することを特徴とする
為その軟質部材または第二の軟質部材をそれぞれの少なくとも一つを円球
または円球視とすることにより耳穴との摩擦支点が少ない形状とする為耳
穴にスムーズに差し込むことができ且挿入案内操作を機敏なものとし尚そ
の円球視を仮に綿等の多孔質で形成するほぼ円球に見える形成としてもよ
い。
【００５４】
本考案１８は
前記第二の軟質部材周面を一周連通する少なくとも一つ以上の溝を設けた
ことを特徴とする為その第二の軟質部材周面を一周連通する少なくとも一
つ以上の溝を設けたことによりその溝を仮に複数設けることによりその第
二の軟質部材に耳垢が絡みやすい凹部形成となりまたその溝は軸方向に沿
って斜めに複数形成することや平行に等間隔または不規則間隔等で形成す
ることもできる。
【００５５】
本考案１９は
前記軟質部材と第二の軟質部材及び弾性体の少なくとも一部が棒状軸部よ
り肉厚の厚い形状部とすることを特徴とする為その棒状の軸部より厚くな
るそれぞれの形成面により耳穴内で耳掻きを安定させ耳への挿入案内に安
心を与えるものとする。
【００５６】
本考案２０は
前記軟質部材と第二の軟質部材及び弾性体のそれぞれの少なくとも一つを
多孔質としたことを特徴とする為その軟質部材と第二の軟質部材及び弾性
体のそれぞれの少なくとも一つを多孔質としたことによりその多孔質には
スポンジや綿毛等がありその多数孔や該多数孔により空気を部材内に有す
為部材伸縮を和らげ耳穴との接触感を優しくさせるものとする。
【００５７】
本考案２１は
前記第二の軟質部材をスプーン形状部と接する前方から後方にかけて少な
くとも一部を固着したことを特徴とする為その第二の軟質部材の前方から
後方にかけて少なくとも一部を固着したことにより棒状の軸部やスプーン
形状部等に第二の軟質部材を設けるという厚みなる段差ができる為該段差
に耳垢の詰りやすさをその固着により段差をほぼなくし耳垢を詰りにくい
形状としまたその固着することによる部材は凝縮し該部材変化に係る伸縮
等やまた固める為の処理等踏まえその前方を低圧固着してもよい。
【００５８】
本考案２２は
前記第二の軟質部材に網目部材を被覆したことを特徴とする為その第二の
軟質部材に網目部材を被覆したことにより該網目による耳垢を蓄積させ耳
内との接触支点を気にすることなく一気に耳垢を除去し一度に耳垢の取れ
る量が増えるものとする。
【００５９】
本考案２３は
前記網目部材に該網目表面の凹凸を残すように滑材を積雪させたことを特
徴とする為その網目部材に該網目表面の凹凸を残すように滑材を積雪させ
たことによりその網目部材は該積雪の厚みにより網目は微段差を有する網
目となり耳内との接触を和らげることやまたその滑材の滑度を利用して耳
垢が網目に係る目詰りを防ぐものとする。
【００６０】
本考案２４は
前記第二の軟質部材を介して滑材を有すことを特徴とする為その第二の軟
質部材を介して滑材を有すことによりその第二の軟質部材は滑度が増し一
例として樹脂に亜鉛または塗布による滑度等がある。
【００６１】
本考案２５は
前記スプーン形状部を介して滑材を有すことを特徴とする為そのスプーン
形状部の角度や材質にもよるがそのスプーン形状部と耳内側面の接触をそ
の滑材により滑りを良くし和らげるため女性や子供等の使用に優しさを与
えるものとする。
【００６２】
本考案２６は
前記滑材をウレタンとしたことを特徴とする為の滑材をウレタンとしたこ
とによりウレタンの強度は樹脂の中で素材をレベルが高く強化できるもの
となり、また肉厚も得られその前途記した網目部材に積雪させることに関
してもよい仕上がりが得られるものとなる。
【００６３】
本考案２７は
前記軟質部材と第二の軟質部材のそれぞれの少なくとも一つを綿としたこ
とを特徴とする為の軟質部材と第二の軟質部材のそれぞれの少なくとも一
つを綿としたことによりその綿は非常に耳内に優しく接し使い捨ての耳掻
き等にも使用できる。
【００６４】
本考案２８は
前記軟質部材と第二の軟質部材及び弾性体の少なくとも一つを樹脂とした
ことを特徴とする為その軟質部材と第二の軟質部材及び弾性体を樹脂とし
たことにより耐久性が得られ壊れにくい耳掻き形成となる。
【００６５】
本考案２９は
前記耳掻きに顔料で着色したことを特徴とする為仮にその耳掻きに係るふ
さふさな綿毛や棒状の軸部等を着色することによりその耳掻きはツボを押
すことのできる部材である為外出先でも使用できるものとし特に女性はお
しゃれを気にしたりかわいらしい部材を望むことが多いことやまたその耳
掻きに付着する耳垢がその外出先では人目につき恥じらいがあまり目立た
ない色の耳掻き色がよいものとなる。
【００６６】
本考案３０は
前記耳掻きを介して該耳掻きの少なくとも一部に蛍光部があることを特徴
とする為その耳掻きは小さい為常にある場所の特定がしやすいように蛍光
の塗料や蛍光部材で際立って目立つ形成としまた暗闇で光るような蛍光塗
料であれば該暗闇でその耳掻きを見つけやすくすることや光らせて目の保
養楽しむこともできる。
【００６７】
本考案３１は
前記弾性体を棒状軸部よりクッション部材としたことを特徴とする為その
弾性体は仮にゴムに限らず圧力によって変形する同時に該変形を元に戻す
柔軟体等を使用でき幅広い形成ができるようになりまたその軟らかい部材
の内部となる棒状の軸部の硬度を利用した軟らかい部材表面を使用するこ
ともできる。
【００６８】
本考案３２は
前記第二の軟質部材の周面を異なる方向で交差する複数の溝を設けたこと
を特徴とするその耳掻きからなる仮に従来形成からなる綿棒には該綿棒の
周面に一方向からなるその軸方向からみてその綿幅に対し左右に向かう凹
部なる溝が平行に複数ありそれぞれの凹部で耳垢を外に運ぶ作用性を持た
せる形成となり仮に該形成と異なる方向溝を追加し形成させることにより
その周面状に斜線の凹部の溝等が形成されまた別形成とするとその周面状
に網目のような複数溝を形成するとその耳掻きは耳垢を外に運ぶ作用性や
その異なる方向に伴う仮にその耳掻きを回転させることにより耳垢をその
仮に示す網目に耳垢を絡めやすい形成としその第二の軟質部材周面状は方
向の追加イコール作用面の向上となる。
【図面の簡単な説明】
【００６９】
【図１】本考案に係る統合する耳掻きの正面図。
【図２】本考案形成を介する一例図。
【図３】考案形成を介する一例図。
【図４】考案形成を介する一例図。
【図５】考案形成を介する一例図。
【図６】考案形成を介する一例図。
【図７】考案形成を介する一例図。
【図８】考案形成を介する一例図。
【図９】考案形成を介する一例図。
【考案を実施するための形態】
【００７０】
以下、本考案の好適な実施例を図面に基づいて説明する。
【００７１】
図１は本考案に係る統合する耳掻きの一例を示す正面図である。
【００７２】
図１は棒状軸部（３）と該軸部一端にスプーン形状部（４）を有し且他
端に軟質部材（５）を有する耳掻き（１）において、前記軟質部材（５）
から軸方向に突出（６）する弾性体（２）を固定部材（９）を介して設け
たことを特徴とすることを示しその耳掻き１の使用において該耳掻き１の
先端部等の特に使い捨ての綿棒の形状からなる楕円体や長円形状のそれぞ
れは非常に耳内の側面にある耳垢を除去することに関し非常によいものと
なるがしかし耳の最奥は耳穴に対し広域の凹部が広がる為該凹部に蓄積す
る耳垢を除去しやすい形状としてもっともよいのはそのスプーン形状部４
のような曲度のある屈接且凹部状とするそれぞれの形状がふさわしくその
棒状軸部３の一端形成からなるスプーン形状部４を有す耳掻き１を有効活
用とするように利用しその耳掻き１が机の片隅となりやすい部材にその耳
構造に関連する一作用性を加え行動の転換性を持たせるように且その耳掻
き１からなる棒状軸部３の一端と他端のそれぞれの端を耳穴に挿入するそ
の耳掻き１の細長形状特性をうまく利用してその棒状軸部３の他端を軟質
部材５と該軟質部材５から軸方向に突出する弾性体２を固定部材９を介し
て設けたことにより仮にその軟質部材５から弾性体２を軸方向に突出する
仮にその形状範囲を示すとまず軸方向視隣合わせでそれぞれの部材が並ん
でその軟質部材５周面からその弾性体２が突出６していることやまたはそ
れぞれの部材が複数層として重なりあい当接している状態からその軟質部
材５内部から弾性体２が突出しているもしくはその軸方向に対し軟質部材
５の前突出４８や後突出４９となるそれぞれの突出による広表面積を兼ね
るそれぞれの形成等からなりまずその部材は軽量且バックや化粧ポーチ等
にいれて持ち運びしても嵩張ることしない一携帯小部材となり該小部材は
多数あるそれぞれの健康用品の併用一部材として使用できその弾性体２を
耳穴に挿入することにより疲れが取ることや快楽を得るというそれぞれの
効果イメージ簡単に伝えると仮に従来一般的にあるその耳掻き１に係る綿
わたの係る部分を耳穴に挿入し該綿わた等で圧を与えることにより少し棒
状軸部３の硬さが綿わたを通じて多少不快を感じるがその快楽感は最高な
もので多くの人にそのイメージを伝えその多少の不快を新た改良したもの
がこの形成となりその突出６弾性体２部により１１０個所ある耳ツボを指
圧できるようになる為女性目線とするダイエットのツボや顔痩せツボ等が
その耳掻き１で押すことができると共にサラリーマン等の男性目線とする
疲労回復のツボが時間の合間等に指圧できる携帯部材と移り変わりそれぞ
れのツボを刺激し効果が得られるということは人の器官とする数多くある
リンパが耳周辺にあることにより該リンパは血流が詰りやすく日々該血流
を促すことが長寿の秘訣ともなり尚その弾性体２部を棒状軸部３に設ける
という肉厚を利用してその特に敏感な耳内に差し込むことにより該肉厚に
よりその耳掻きを該耳内で安定させると共に普段押せない耳の内部をその
耳かきの細さを利用することが可能なその弾性体２の先端部や周面を利用
して耳内マッサージができるものとする為快楽と笑顔が生まれる部材とす
るその耳内刺激は特に気持のいい耳外側面により耳内側面は神経が集中且
より脳に近い内部とする為感覚を伝えやすくまたその従来形成の良い面を
生かすようにその弾性体２の周面且隣接部等からなる軟質部材５の綿わた
等でそのスプーン形状部４で取り残す細かい耳垢を処理できるものとなり
またその弾性体２を固定部材９を介して設けることにより該弾性体２はそ
の棒状軸部３から取れにくいものとなりまた仮に前回出願済みまたは登録
となる耳掻き考案形成として３つの形成がありこの考案と共に該３つの形
成を上手く合させて形成しもよいとする。
【００７３】
図２の（ａ）は前記スプーン形状部４と軸部の少なくとも一部に当接す
る第二の軟質部材７を設けると共に該スプーン形状部４から先端に向かっ
て且該第二の軟質部材７から突出する第二の突出部８を有しそれぞれを固
定部材９を介して設けたことを特徴とする為簡略するとそのスプーン形状
先端部が突出するようにその第二の軟質部材７を該スプーン形状部４と軸
部に設けたものとなりその為その第二の軟質部材７の周面を利用すること
が可能なそのスプーン形状部４は仮に従来の綿棒とする楕円体や長円形状
のそれぞれの綿形状にない耳の最奥は耳穴の大きさに対し凹部なる凹みが
広域に広がる為そのスプーン形状部４となる屈接や湾曲する凹部状は該凹
部に蓄積する耳垢を除去しやすい最大な重要形状といえてしかしそのスプ
ーン形状部４の使用感は非常に怖いことや該スプーン形状先端部一支点に
圧が係りやすく非常に耳内との接触が痛いことや及びその力が係りやすい
ことにより耳内を傷つけてしまうということが生じてそれぞれの欠点を解
消する為その耳掻き１の前記一端に第二の軟質部材７の肉厚部を有し該第
二の軟質部材７から突出するスプーン形状部４とすることによりまずその
耳掻き１はその第二の軟質部材７の肉厚により耳内で安定固定させる為ブ
レズに使用できる為挿入案内の怖さがほぼなくなりその部材のイメージと
して肉厚が異なる場合もあるが綿棒を耳に挿入した時の安心感がその考案
部材と同じようなものとなりその綿棒から突出するスプーン形状部４とな
りまたそのスプーン形状先端部はその第二の軟質部材７のクッション性な
るワンクッションからの該先端部が耳内に接触となるため耳内との接触を
和らげ且耳内を傷つけてしまうことをなくしえる形状となり低学年から高
齢者または女性等に優しく安心して使用できるものとなり多くの人に使用
して貰い意見の一例としてその第二の軟質部材があることにより安心して
利用できるとほぼ使用者全員が該使用と同時にいうこととなりまた本考案
１からなる耳ツボを押し癒しを与えるその形状は合間もしくは休憩時間且
女性では化粧時等に使用でき尚その耳の構成上の使用に関連させる優しい
スプ―ン形状部４を有す形状を一例として上げるものとなりその本考案２
の部材の形成の自己実験によりそのスプーン形状部４にその第二の軟質部
材７の肉厚部があることによりそのスプーン形状部４は該第二の軟質部材
７を利用または介しやすく使用できるものとなる為仮にそのスプーン形状
部４の突出が短いほど該形状の先端部は耳に優しく接するものとなり仮に
その耳掻き１の自己形成で３つの該形成を例としてあげるとまずその突出
長さを３ミリ、３．５ミリ、４ミリとすると該突出３ミリはそのスプーン
形状先端部が非常に耳内側面に優しく接しそれは先端部と近接する第二の
軟質部材７を有効的に介することができるためという結果となりしかしそ
のスプーン形状部４の突出幅が狭い為耳垢の目詰りが起こりやすくまた３．
５ミリの突出で形成すると０．５ミリ分長さなるスプーン表面積が確保さ
れ耳垢が目詰りしにくい形状となると共に耳内に優しく接する先端部とな
りまた４ミリの突出で形成するとそのスプーン形状先端部に係る圧が増し
耳内に接する不快を感じ該不快のイメージとしてその突出幅が広くなるほ
ど徐々にそのスプーン形状部４のみを使用しているようなその第二の軟質
部材７を介する感覚が薄くなりまたその耳掻き１を多くの人に使用して貰
う結果の一例としてその第二の軟質部材７の肉厚を記すこととするが仮に
綿棒の肉厚とする４ミリ以上から耳穴の大きさ未満がもっとも効率の良い
肉厚となりそのほぼ同一な肉厚からなる第二の軟質部材７は非常に安定感
は優れるものとなり尚その使用者の参考例を記すこととなるがまたその第
二の軟質部材７周面に耳垢を付着させないように形成してほしいというこ
とがありその耳垢を付着させない一例としてその第二の軟質部材７をシリ
コンとすることや軟らかいゲル状として形成よいとしまたはスポンジにそ
れぞれ滑材に値するシリコンやゲル等を含浸またはそれぞれを複数の層と
して形成してもよいものとしその示す形成は前記弾性体２にも値し仮に一
例としてその弾性体２周面に該弾性体２より軟らかい部材を覆って形成し
てもよいものとなり該覆うことにより耳穴内との接触を心地よいものとな
り仮にそれぞれ耳掻き１に係る形成部材をそれぞれ示す多孔質２９に限ら
ず固形体として形成しても良いとし尚それぞれ実験結果のまとめとしてそ
の使用に優しい突出３ミリで形成とする場合その第二の軟質部材７やスプ
ーン形状部４の表面側等１６に耳垢を滑材等を利用して目詰りさせない形
成がもっともよいものとなり（ｂ）は前記弾性体２の周面から突出するよ
うに該弾性体２からなる少なくとも一つ以上の突起１１を有すことを特徴
とすることを示しその弾性体２の周面から少なくとも一つ以上突起１１を
突出することによりその一つの突起１１やまた複数の突起１１により耳外
面や特に耳内を刺激させやすい形状となり仮にその突出位置はその弾性体
２の先端部から軸方向に向けて突出させることやまた該軸方向と異なる方
向に向ける突出としてもよいものとなり（ｃ）は前記弾性体２から突出す
る突起１１を複数の大きさとすることを特徴とすることを示しその弾性体
２から突出する突起を複数の大きさとすることによりまず仮にその突出形
成一例としてその（ｂ）で示すそれぞれの突起１１側面に複数の小突起１
２を形成することにより仮にその突起１１側面に複数の小突起１２がある
ことによりその耳内側面に該小突起１２なる多数の凹凸感を与えることが
できる為その耳掻き１を耳内で回転させることや手軽に挿入したその一支
点で止め圧を加けることによりに簡単に刺激感を伝えることができる快楽
形成となりまたその弾性体２を軸方向から見て前方３０から後方に掛けて
該前方３０を小突起１２とし該小突起１２から後方にかけて徐々にそれぞ
れの突起が大きくなる大突起となるように形成することによりその前方３
０小突起１２による肉厚の薄さによりその耳穴に挿入しやすい形状とし
（ｄ）は前記弾性体２周面の少なくとも一部に複数の短毛部１３を有して
なることを特徴とすることを示しその耳掻き１は仮に棒状軸部３の一端ス
プーン形状部４と共にその他端形成とする弾性体２部を耳穴に差し込むこ
とが可能となる為その複数の短毛部１３を有す一例として仮にその弾性体
２突出周面部に短毛を設けることや、軟質性短毛として弾性体２周面に設
けることや、軟質部材５の一部を短毛に置き換えることもでき、その軟質
部材５形成部をその短毛と仮に長い毛となる軟質部材５の区分けのそれぞ
れの形成から選択しその短毛部１３を形成することが可能となり尚その他
端に複数の短毛を有することによりその耳掻き１とする該他端方向から耳
穴に差し込みその軸を回転等で回すことによりその耳内にそれぞれの短い
毛先が耳内を心地よく刺激し笑顔を生みながら快楽を楽しむ形成とし該快
楽イコール笑顔イコール血行促進とする健康に繋げるものとし仮にその耳
掻き１に係る形成と異なる個々形成としてもよいものとし尚仮に一例とし
て前記固定部材を固定手段を介する熔着等の形成もある。
【００７４】
図３の（ａ）は前記弾性体２突出先端部を球面１４としたことを特徴とす
ることを示しその突出からなる弾性体２の先端部を球面１４とすることに
よりその球面１４は一支点を球面１４全支点になる為程よく耳へ優しく弾
性刺激する形状となり仮に楕円体や長円形状で形成してもよいがそれぞれ
の形状先端部は力を一支点に集めやすい肉厚幅が狭いものとなりその耳へ
の刺激力の好みは男性と女性は異なるがその耳掻き１による耳ツボへの刺
激が強くなりすぎてしまうことで痛みを伴い通常一般形成をその優しさを
基準に想定すると逆効果ともいえまた仮にその先端部の接触面積等による
ツボへの刺激具合は該面積の調整で強弱をつける複数の部材を形成しても
よいものとなり（ｂ）は前記弾性体２突出先端部を平面１５としたことを特
徴とすることを示しその突出からなる弾性体２の先端部を平面１５とする
ことにより該平面１５の面積によりその耳掻き１とする棒状軸部３から係
る力を一支点にまとめずその平面１５に分散させ耳への刺激を優しく接す
るものとなり仮に一例としてその突出先端部を曲度のある曲線となれば使
用できまたその弾性体２周面に一つ以上の凹部や溝等を設けることにより
その弾性体２は夏場汗による吸着等や部材が接することの不快感を取り除
くことにできるものとなりまたは一例となるが寒冷剤もしくは断熱成分を
その弾性体２に加えてもよいものとしまた夏は冷たく冬は暖かくなる暖冷
材もしくは暖冷剤をその耳掻き１に設けてもよいものとなりその暖冷材等
の一例として貝殻や石灰等があり（ｃ）は前記スプーン形状部４と隣接す
るように前記棒状軸部３に第二の軟質部材７を設けたことを特徴とするこ
とを示しその第二の軟質部材７をそのスプーン形状部４を覆うことなく棒
状軸部３の一端を介してその第二の軟質部材７を設けたものとなるがその
スプーン形状先端部から該第二の軟質部材７の距離を有す形成はその耳掻
き１は耳内で安定するがスプーン形状部４のみの耳掻き１形成との使用感
が似ている為このように形成する場合棒状軸部３に対し１８０度もしくは
その１８０度未満となる角度を緩めに形成する耳掻き１に適し仮に図示は
ないが一例として耳垢を掬いあげるには角度が満たない形状にはそのスプ
ーン形状部４を介して一つ以上の突起を設けてもよいものとしその突起の
先端部は緩やかな曲線及び半円球とするまたは肉厚を僅差高めに形成する
とよいとし（ｄ）は前記スプーン形状部４に係る第二の軟質部材７を該スプ
ーン形状部４と棒状軸部３のそれぞれの表面側１６に少なくとも一部に当
接するように該当接を固定部材９を介して設けたことを特徴とすることを
示しその第二の軟質部材７をスプーン形状部４と棒状軸部３のそれぞれの
表面側に少なくとも一部に当接する該それぞれの表面側１６に設けた肉厚
部があることにより親が子供の耳掻きをする際にその表面側１６とする第
二の軟質部材７の肉厚部によりその耳内で耳掻き１を安定させることによ
り挿入案内の怖さをほぼなくし尚その第二の軟質部材７の該軟質性を介し
てワンクッションからのそのスプーン形状先端部を耳内に接触させる為そ
の該先端には力が多重に係ることを防ぎ優しく耳内に接触するようになる
為耳内を傷めることなく耳垢を除去可能な形成となり更にその棒状軸部３
からその表面側１６にその第二の軟質部材７肉厚部があり且裏面側には肉
厚部がない為その物体のない空間を素通ししてその耳掻き１を子供の小さ
い耳に挿入することによりその親は耳内を目視できるようになる為耳垢位
置を把握しながら該耳垢を除去できるものとし仮に一例としてその棒状軸
部の一端または他端を該軸部側面に軸方向に長い該軸の厚みに対し傾斜を
形成して細くし耳に挿入しやすい形成としてもよいしまた子供はまだ未発
達な肌で軟らかい為そのスプーン形状先端部を平面にすることや少し肉厚
のある曲線とし形成することにより該平面やその肉厚の微量であるが面積
が多くなることイコール力が分散しやすい形状となり尚そのスプーン形状
部４の角度は通常大人が使用するよりも少し抑え目に該角度を緩めに形成
するとそのスプーン形状先端部は未発達な軟らかい肌を傷めにくい優しい
ものとなり仮に図示はないが一例してその棒状軸部３からそれぞれ示す一
端形成や他端形成を着脱可能とし大人または子供となるそれぞれの使用に
わけて取り替えのできる形成としてもよいものとし尚その取り換えのでき
るそれぞれの形成を容器等に入れて収納可能な形成としてもよいとし尚そ
の棒状軸部３の一端形成や他端形成にそれぞれの該形成を覆うまたはその
形成から離関して覆う着脱可能なキャップを設け形成してもよいとし尚そ
れぞれの一端や他端形成を介して粘着性を与えてもよいものとし粘着性部
材にはアクリル酸エステル樹脂系、弾性粘着系、アクリル粘着系、エマルジ
ョン粘着系等があり更にその表面側１６となる軟質肉厚部の中心からなる
軸方向に沿って溝を設けることによりその溝の空間部により耳穴内を目視
しやすい形成としてもよいしその第二の軟質部材７を透明で該部材を素通
視して耳穴内を目視確認できる形成としても仮に図示はないがその第二の
軟質部材５をプラスチック等のその耳掻き１からなる棒状軸部３より硬い
部材で形成しても軟らかさはないがその耳掻きをブレズに固定することは
でき後述で記す第二の軟質部材７の固着の応用ともいえる。
【００７５】
図４の（ａ）は前記弾性体２を介して滑材１８を設けたことを特徴とする
ことを示しその弾性体２を介して滑材１８を設けたことによりその弾性体
２は耳外面や耳内を滑りやすくさせてツボからツボへの移動等がスムーズ
に行なえ仮にその滑材１８の介し方の一例として亜鉛やセラミックス等の
金属をその弾性体２に含有物として滑りを与えることやシリコンを利用す
ることや塗布による滑材、低硬度や高硬度等の他部材混合による滑度、含有
成分による滑度、他部材を設けることによる滑度、複数の滑材１８による滑
度、被膜または被覆による滑度等があり（ｂ）は前記耳掻き１を木製１９で
形成したことを特徴とするを示しその耳掻き１を木製１９とすることによ
り従来形成とする一般的な竹製で形成するよりも部材湾曲しにくいことと
なる為その耳掻き１で耳ツボへの刺激を垂直に押しやすくなりまたその竹
製は湾曲する為該湾曲による変形湾曲からの形を戻そうとする過度の力が
係りやすく耳内側面に優しく接しない場合も生じることがあり尚竹の繊維
質は木製より目が細かく且硬い為該硬さで耳内の挿入案内に耳側面を削る
ような不快を感じることがしばしありその竹製は臭いが非常によく且形成
がしやすくコストを抑え如何に消費者のニーズに合わせ提供できる部材と
なるが仮にその竹製で形成する場合の一例としてそのスプーン形状部４の
角度を少し抑え目に形成することやまたそのスプーン体の先端部に微量な
面または肉厚を有す形成とすればその竹なる良質材を形成なる形で生かす
こともでき該生かす形成は耳掻き１形成となる竹と異なる部材でも応用で
き仮にその耳掻き１形成を１００円で購入可能なコストを抑える部材を消
費者に提供すると共に良質な部材部材等を使用し僅差高めな部材のそれぞ
れを同時に提供してもよいものとしその耳掻き１ツボ押し形成は高額のツ
ボ押し部材が多い中如何にコストを削減して消費者に極力安価で提供でき
るように形成を簡易的なその軟質部材５から弾性体２の突出のみで抑え考
案し研究したものとなり（ｃ）は前記木製１９をつげ２０としたことを特徴
とすることを示しその木製１９からなる耳掻き１をつげ２０で形成するこ
とにより該つげ２０の質感なる肌触りが非常によく耳内を滑るように挿入
案内が行えるようになりまたそのつげ２０は硬く丈夫なものとなる為高級
な工芸品等で使用されることが多く（ｄ）は前記棒状軸部３一端を該軸部肉
厚よりスプーン形状部４にかけて徐々に肉厚を薄くしたことを特徴とする
ことを示しその軸部肉厚よりスプーン形状部４にかけて徐々に肉厚を薄く
したことによりその耳掻き１は耳内にその徐々に肉厚を薄くするその斜面
により滑るように差し込むことができるようになり仮にその棒状軸部３の
一端形成と他端形成のそれぞれの該形成を同一材もしくは同一形成または
大きさが異なる形成及び該それぞれの形状をどちらかの一端で利用するこ
ととしてもよいものとなり（ｅ）は前記軸部を半円柱２１としたことを特徴
とすることを示しその軸部を半円柱２１とすることにより該半円柱２１か
らなる面を介して指で押さえることができる為その耳掻き１は力を掛けや
すい形状となると共にその平面１５以外の周面の円状曲線によりその耳掻
き１を回しやすいものとするその耳掻き１からなるスプーン形状部４等を
介する第二の軟質部材７の周面を利用して耳垢を掻きとることもできるよ
うになり（ｆ）は前記半円柱２１の平面部２２と平行に軸方向に長い一つ以
上の第二の平面部２３があることを特徴とすることを示しその半円柱２１
の平面部２２と平行に軸方向に長い一つ以上の第二の平面部２３があるこ
とによりその平面部２２と平行とする第二の平面部２３のそれぞれを指で
つまみやすくすると共に該平面２３部は指圧力が係りやすい為その棒状軸
部３に力を掛けやすくその軸部を介する弾性体２により耳ツボを指圧しや
すいものとなりまたその耳掻き１からなるスプーン形状部４もその第二の
軟質部材７と共に耳内でその耳掻き１を安定させやすい部材となり仮に一
例としてその軸部を円柱形成としてその耳掻き１を回転させる作用性を与
えその弾性体２周面を上手く活用してもよいものとなり（ｇ）は前記軟質部
材５または第二の軟質部材７及び弾性体２のそれぞれの少なくとも一つを
軸方向に長い形状となるように形成したことを特徴とすることを示しまず
その弾性体のツボ押し方向に係る軟質部材５を軸方向に長い形状２４とす
ることによりその軟質部材５の長さのある素材面により耳内で安定させる
と共にその耳垢を除去しやすいものとしまたその第二の軟質部材７を軸方
向に長い形状２４とすることにより該第二の軟質部材７を耳穴に差し込み
その長い周面部によりその耳掻き１を安定させると共にその該長さによる
スプーン形状部４使用する怖さをなくし更にそのツボ押しとする弾性体２
を軸方向に長い形状とすることにより該長さイコール表面積の確保となる
為その広表面積により耳内を刺激させやすいものとしその耳掻き１に係る
棒状軸部３は細いイコール耳内に挿入刺激しやすいその他端形成とする弾
性体部となり（ｈ）は前記軟質部材５または第二の軟質部材７のそれぞれの
少なくとも一つを円球２５もしくはほぼ円球視２６のそれぞれのどちらか
一方で形成することを特徴とすることを示しその弾性体２の係る軟質部材
５を仮に円球２５もしくはほぼ円球視２６とすることによりその耳内での
挿入ツボ押し案内をスムーズに行えると共に該円素材面は円圧力全支点と
なりやすい為耳内にある耳垢をその素材面全体で集めやすいものとしまた
そのスプーン形状部４が係る第二の軟質部材を円球２５もしくはほぼ円球
視２６とすることによりそれぞれの円周面による耳内との接触減少により
そのスプーン形状部４の向きをその耳垢位置に応じてスムーズにかえるこ
とができまた軸方向に長い形状２４と比較するとそれぞれの形状周面に係
る耳内側面との摩擦抵抗率が大幅に低下する為その耳掻き１の挿入案内や
抜き差しが機敏に行えるものとなりまたその機敏な動きを利用して小さい
子供の耳垢を親が取る際に該動きと肉厚を細めに形成することによりその
耳垢の位置を目視しながら耳垢取りを行えるものとなりまた仮にその軟質
部材５もしくは第二の軟質部材７を多孔綿等のマリモのようなイメージで
ほぼ円球に見えるように形成してもよいとし（ｉ）は前記第二の軟質部材７
周面を一周連通する少なくとも一つ以上の溝２７を設けたことを特徴とす
ることを示しその第二の軟質部材７周面を一周連通する少なくとも一つ以
上の溝を２７設けたことによりその溝２７なる凹みを利用して耳垢を絡み
やすい第二の軟質部材７とし一例となるがその溝２７は軸方向から見て螺
旋形状にすることやその第二の軟質部材７の周面を網目状のような凹凸を
形成してもよいものとなり尚それぞれの溝２７方向と異なる溝２７もしく
は孔や複数孔を設けてもよいものとし（ｊ）は前記軟質部材５と第二の軟質
部材７及び弾性体２の少なくとも一部が棒状軸部３より肉厚の厚い形状部
２８とすることを特徴とすることを示しそれぞれの肉厚が棒状軸部３より
厚くなるそのスプーン形状部４に係る第二の軟質部材７はその肉厚を介し
て棒状軸部３を安定させ耳掻き１の挿入案内怖さをなくしまたその軟質部
材５を棒状軸部３より肉厚を高めることにより該軟質部材５から突出する
その弾性体２を耳穴内で安定且刺激しやすい部材としまたその弾性体２を
その棒状軸部３より肉厚を高めることにより該弾性体２先端部は肉厚イコ
ールその棒状肉厚に対し圧力を分散させやすい幅となり優しく耳に刺激を
与える形状となりその少なくとも一部が棒状軸部３より肉厚の厚い形状部
２８の一例として楕円体、長円状、多角形、軸方向視長方形、軸方向視キノ
コ形状、軸方向幅と肉厚幅が同一な形状、軸方向に長い形状等があり（ｋ）
は前記軟質部材５と第二の軟質部材７及び弾性体２のそれぞれの少なくと
も一つを多孔質２９としたことを特徴とすることを示しその軟質部材５と
第二の軟質部材７及び弾性体２のそれぞれの少なくとも一つを多孔質２９
としたことによりそれぞれの部材はふんわり軟らかく接する軟質部材５等
となりまた一例となるがその多孔質２９性を利用して水溶液等を含浸させ
やすい該含浸可能な部材とすることができ仮に含浸材もしくは含浸剤の一
例として動物性油や化学性油且合成油または植物油のそれぞれに係る油材
等を含有物として有すことによりその軟質部材５等は耳内で滑りやすくな
ると共にその油材等は該油に溶けやすい性質材等且保湿する乾燥耳対策と
もなり該溶とけやすい性質材もしくは性質剤の一例としてビタミンやアミ
ノ酸等があり該ビタミンやアミノ酸をその耳掻き１に係る含有成分とする
ことによりそのビタミンの栄養素となる体の組織体を修復することを利用
して乾燥耳の改善に日々導くことやまたそのアミノ酸は耳内の組織を活性
化させその乾燥耳を防ぐと同時に血行を良くすると共にその耳に近い脳に
伝える神経伝達をよくし該脳内を活発にして且優しいものなりまたその前
記含浸の一例として抗菌材もしくは抗菌剤を含有物として形成してもよい
ものとなり該抗菌成分の一例として化学性、植物性、合成性、動物性等があ
り特に無機系抗菌剤や塩酸ポリヘキサニド、キトサンがありまたパラベンを
含浸させることや前記水溶液なる水を精製水として含浸させてもよいもの
となり尚その耳掻き１に使用する含浸として女性等が喜ぶような香料を加
え該香料の香りを楽しみながらその香りによる安息効果を与えてもよいと
し特に子供の世代は色々な部材の香りを楽しみながら部材を使用したもの
となりまたその水溶液はその水に複数の成分を与える形成としてのよいも
のとなりまたそのアミノ酸のほかに陽イオンまたは陰イオンを含浸させて
もよいとしそれぞれの電解作用性によりその耳内へ水の吸収を促し保湿効
果を高めるものとし特にその陽イオンにはナトリウムイオン、カリウムイオ
ン、カルシウムイオン、マグネシウムイオン等がありまたその陰イオンは塩
素イオン、クエン酸イオン、乳酸塩イオン等があり（ｌ）は前記第二の軟質
部材７をスプーン形状部と接する前方から後方にかけて少なくとも一部を
固着したことを特徴とすることを示しその第二の軟質部材７をスプーン形
状部４と接する前方３０後方にかけて少なくとも一部を固着したことによ
りその第二の軟質部材７は棒状軸部３ら取れにくいものとなると共に該第
二の軟質部材７とスプーン形状部４なるそれぞれの境目に耳垢の目詰りを
しにくい形状とし仮に一例となるがその固着部を圧固着しても同じような
目詰り防止効果が得られその目詰りはスプーン形状部４と突出長さや第二
の軟質部材７の形状にもよりその圧着の該圧率はその第二の軟質部材７の
肉厚に対し２５％から５０％該肉厚を縮ませ圧着としてもよいとしまた前
途記すその第二の軟質部材７からの突出３ミリは仮にその第二の軟質部材
７の前方一部を圧着することによりそれぞれ部材の仮に目視繋ぎ目部分５
１の表面側に耳垢を蓄積させない該繋ぎ目部分５１とするその軟質部材５
の前方３０一部をスプーン形状部４のようなイメージで曲線とする圧着や
またその前方３０一部に係る軟質部材５をなくしても良いものとする。
【００７６】
図５の（ａ）は前記第二の軟質部材７に網目部材３１を被覆したことを特
徴とすることを示しその第二の軟質部材７に網目部材３１を被覆したこと
によりその網目部材７を設けたことによる肉厚が高い周面によりその耳掻
き１を耳内で安定させ且耳穴内側面の耳垢を絡ませやすい形状とし共にそ
の耳掻き１に係る第二の軟質部材７から突出するスプーン形状部４により
耳の最奥となる前記広域に広がる凹部に蓄積する耳垢を除去できるものと
なり仮にそのスプ−ン形状部４を網目部材３１として曲度ある該網目とし
て形成してもよいしまたそのスプーン形状部４をその第二の軟質部材７と
して曲度ある該第二の軟質部材７として形成してもよいものとなり仮にそ
の網目部材３１の被覆はその棒状軸部より少なくとも一部が肉厚の高い部
分を有す形状で有れば軸方向に長い形状とすることや直径幅同一な仮に円
球形成や及び楕円体、長円状等でもよいものとなり（ｂ）は前記網目部材３
１に該網目表面の凹凸を残すように滑材１８を積雪させたことを特徴とす
ることを示しその耳掻き１を自己形成使用や該形成を多くの人に使用して
貰った受験の結果はまずその網目部材３１を介する耳掻き１を一部例とす
る網戸の網で形成するその網目部材３１は特に目詰りが多く耳垢が取れに
くいことに気づくことやその網目の交互に重なりあう網目部材３１からな
る網戸は耳垢が通常スプーン形状部４で掬いあげる耳垢よりも約３倍も多
く効率よくとれるがしかし耳内との接触度合いが多少荒目となりそれぞれ
を解消する為その網目部材３１に該表面の凹凸を残すように滑材１８を積
雪させたことにより該滑材１８により耳穴内でその耳掻き１を軽快に滑ら
せると共に耳垢を除去しやすい積雪に係る積もる度合いとしその滑ること
によるその網目部材３１周面はその網戸なる表面の荒さを軽減する形成と
なりまた一例図となる（ｇ）によりその網目部材３１を表面が同一面となる
ように形成することによりその網目部材３１は段差を有さない為滑りやす
くなり且荒さは取れるものとなりまたその網目部材３１を縦横の網で形成
する該縦網を裏面側またその横網を表面側として形成することによりその
表面側の横網を滑るように回転させることもできる為耳内との接触圧は中
目となりまたその表面側の網と裏面側の網を入れ替えてその表面側の縦網
側面を利用して耳内に滑りやすい耳内を傷めにくい形成としてもよいもの
となり仮にその網目部材３１は網と目を有する形成となれば軸方向の一端
を北規定し且他端南とするその北から３６０度に値するそれぞれの網方向
で形成して複数方向を有す網目部材３１としてもよいものとなりまたその
網目部材３１の目４６を軸方向に長い目４６形状とすることやその軸方向
と異なる方向に長い目４６としてもよいものとなり尚その縦横に交互に交
差する網戸のような網目部材３１にそれぞれの方向と異なる斜め網等を追
加して形成することによりその網目部材３１表面に柄、模様、凹凸等の形成
できるものとなりまたその網目部材３１の一例として平織、綾織、平畳織、
綾畳織、焼結網等があり仮にその網目部材３１の仮に樹脂を裏面側とし表面
側を繊維としてその網目部材３１側面に軟らかい感触を与える形成として
もよいとし私的にはその軟らかい感触を与える耳垢が絡みやすい網目部材
３１の頂部から複数突出する短毛繊維を望みものとし仮にそのような複数
の部材を使用してその網目部材３１を形成してもよいものとなり尚それぞ
れ示す製材に高硬度な部材や低硬度な部材を含有成分として補強してもよ
いし常時その繊維が使用できるような中硬度程度の繊維を選択してもよい
とし尚その網目部材３１に軟らかい部材を混合または含有成分として形成
することによりその樹脂の肌触りはよいものとなりまたその含有成分の一
例として繊維、発泡体等がありまたそのやわらかい部材を強化と滑度が増す
セラミック繊維を一例としてあげるがその混合する部材を軸部の重さに対
し軽量部材もしくは軽分量をあててもよいしまたその耳掻き１形成に係る
軸部を介する部材を該軽量部材もしくは軽分量を使用してもよいものとし
尚その耳掻き１に係る弾性体２をその軸部より重量を与え使用重さとして
もよいものとなりその耳掻き１の実施例を記すこととなるがその重量は軽
すぎず重すぎないことがその耳掻き１を持つ手になじみ安定使用できるも
のとなり全体ではないが一般的に該耳掻き１を樹脂で形成すると重さは微
量に足りずまた竹または木で形成したものは手になじみやすい重さとなり
尚金属製で形成する重さは少し重さを多少感じてしまう面があるそれぞれ
には利点もあり尚その網目部材３１は肉眼では見にくい網目の目４６とす
ることにより耳垢の目詰りを解消させやすいものとすることもできまた網
目部材３１上に該目と異なる大きさや形状の目とするそれぞれの孔を設け
耳垢が絡みやすい形成としてもよいとし（ｃ）は前記第二の軟質部材７を介
して滑材１８を有すことを特徴とすることを示しその耳掻き１の一端形成
とするスプーン形状部４を介する第二の軟質部材７に滑材１８を有するこ
とにより該第二の軟質部材７は滑度が増して耳内を滑りやすくなり仮にそ
の第二の軟質部材７を介して滑材１８を有す形成一例として該第二の軟質
部材７を仮に樹脂製のスポンジとする該スポンジに亜鉛を混合させ形成す
ることもでき（ｄ）は前記スプーン形状部４を介して滑材１８を有すことを
特徴とすることを示しそのスプーン形状部４を介して滑材１８を有すこと
により耳垢を該スプーン形状部４表面に耳垢を見詰りしにくい形成とする
と共に該スプーン形状先端部が耳の内側面との接触をスムーズに滑らせる
為該耳の内側面を引きずることなく傷めることを防ぐものとなり仮にその
滑材１８は前途記す弾性体２を介する滑材と同一的な見方をしてもよいも
のとなりまたその滑材１８を耳掻き１形成に介すことやまた棒状軸部３に
介することにより該軸部に滑度を与えその耳掻き１に係るスプーン形状部
の方向転換案内を行いやすい部材となり一例となるがその樹脂の代表とし
てその樹脂には天然樹脂や合成樹脂且熱可塑性樹脂等があり特にその樹脂
の代表とするシリコーン樹脂、ＡＢＳ樹脂、ポリスチレン、アクリル、エラ
ストマー樹脂、ポリ塩化ビニール、ポリプロピレン、プラスチック、アクリ
ル酸エステル樹脂、加硫ゴム、熱硬化性樹脂系エラストマー、熱可塑性エラ
ストマーがあり（ｅ）は前記滑材１８をウレタン３４としたことを特徴とす
ることを示しその滑材１８をウレタン３４とすることにより一般的樹脂に
対しその滑材１８に厚い膜を形成することができその為前記網目部材３１
に積雪させやすい部材となりまたそのウレタン３４は硬化すると該硬化表
面の滑度率は非常に高いものとなりその網目部材３１の表面に耳垢とする
目詰りを防ぐことができる形成となり（ｆ）は前記軟質部材５と第二の軟質
部材７のそれぞれの少なくとも一つを綿３３としたことを特徴とすること
を示しその第二の軟質部材７はスプーン形状部４が係る一端形成部となる
為前記最奥とする耳垢をそのスプーン形状部４で除去すると共にその第二
の軟質部材７からなる綿３３により耳の内側面に優しく接する部材とする
ことやまたその綿３３は自己使用受験例で一番耳垢が絡みやすい周面とな
り仮にその網目部材の目は該部材の全体周面に対し等間隔でその網目の目
を配設させることやまた該目を不規則に配設させてもよいとし尚その目は
複数の大きさまたは複数の形からなるそれぞれの何れかの目としてもよい
としまたその網目部材３１を絞り状態で固着しその網目を凹凸の波となる
ように形成してもよいとしまたその弾性体のツボ押し形成が係る軟質部材
５が該弾性体２の周面部等にあることにより耳内にその軟質素材面を介し
て優しく接することが可能な弾性体となり仮にその弾性体２と軟質部材５
はその棒状軸部に対し並べて個々に形成してもよいとする。
【００７７】
図６は（ａ）は前記軟質部材５と第二の軟質部材７及び弾性体２の少なく
とも一つを樹脂３５としたことを特徴とすることを示しそれぞれの耳掻き
１形成に係る部材を樹脂３５で形成することにより該樹脂３５は耐久性に
優れその耳掻き１が壊れにくい部材とすることがまたその樹脂３５は仮に
鉄や木または竹に比べると顔料等を混合させやすい部材の一つとなり該混
合イコールその顔料が変色且剥離しにくいものとなる為色の美観を長期楽
しめるものとなりまた一例自己計測としてその樹脂で形成すると手になじ
みにくい該樹脂を凝縮形成しない限り軽量部材となりやすい為該軽量の調
整として重量のある部材をもうけてもよいものとするが該重量部材の一例
としてマグネットがあり仮にそのマグネットをその樹脂に設けて形成して
もよいとし（ｂ）は前記耳掻き１に顔料３６で着色したことを特徴とするこ
とを示しその耳掻き１を多くの使用してもらいその結果特にその耳掻き１
を着色してほしいという多数意見がありそれはその耳掻き１を外出先や人
の目につく職場等で使用する際にあまり見せたくない耳垢を見えづらくす
る為にその耳掻き１の他端形成とする仮にふさふさな綿わた且一端スプー
ン形状部４に係る第二の軟質部材７もしくは弾性体２の係る軟質部材５を
ピンクとすることにより耳垢を見えずらくすると共にその人目ある場所で
自分がかわいいと思えるまたはかわいいと思われるような部材が望む傾向
も多くまた逆に人それぞれとするが年齢層等や上に行くことによりその質
感を生かした個性部材を望む人もいてまず初めにその綿で耳垢を取りその
耳掻きを耳内から抜くと同時にそれぞれの使用者の見る目はその綿周面で
あり次に行う行動は全てその綿わたから耳垢を取ろうとする該耳垢を隠す
ように即座に取り掃う行動が見られ仮にその綿からなる白がその耳垢際立
たせることが原因となりその耳掻き形成が使い捨てとなればその白でも気
にならないと推測でき（ｃ）前記耳掻き１を介して該耳掻き１の少なくとも
一部に蛍光部３７があることを特徴とする為仮にその耳掻き１の顔料３６
を蛍光塗料を使用することによりその一例で示すピンクの光度が鮮やかに
輝きその小さい耳掻き１を該光度を利用して目につきやすい見つけやすい
部材とし為使用頻度を高めると共にその小さい耳掻き１を見つけるという
苦難を解消するものとしまた見た目も鮮やかにその色を強調することもで
き（ｄ）は前記弾性体２を棒状軸部３よりクッション部材３８としたことを
特徴とすることを示しその弾性体２をクッション部材３８とすることによ
りそのクッション性を有する部材は指圧等でその該部材が変形し該変形か
ら速度は問わず元の形に戻そうとする部材で有ればよいものとなり仮にそ
の弾性体２の一例として金属製４０の弾性体２、樹脂製４１の弾性体２、木
製１９の弾性体２、竹製４３の弾性体２等がありその弾性体２は熱硬化性エ
ラストマー、熱可塑性エラストマー、エラストマー系、シリコーンゴム、フ
ッ素ゴム、ウレタンゴム、天然ゴム、合成ゴム、熱硬化性系ゴム、熱可塑性
系ゴム、エポキシ樹脂、高分子弾性体、ゴム、架橋ゴム、加硫ゴム等があり
仮にその弾性体２を該弾性体２と異なる部材複数層にしてもよいとすし（ｅ）
は前記第二の軟質部材７の周面を異なる方向で交差する複数の溝３９を設
けたことを特徴とすることを示しその第二の軟質部材７の周面を異なる方
向で交差する複数の溝３９を設けたことにより仮に上下溝や左右溝または
斜溝及び曲線方向等のそれぞれの溝を仮に一方向に追加形成する多方向と
することにより該多方向イコールその耳掻き１の動きに比例する耳垢を除
去できるその第二の軟質部材７周面となりその為仮にその耳掻き１を掻き
出す方向に値する左右溝やその耳掻き１を回転させる動きに繋がる方向と
する上下溝等のその耳掻き１の動かし方により作用性を広げるものとし仮
にその耳掻き１に係る弾性体２方向となる軟質部材の周面に仮に一例とし
てその異なる方向で交差する複数の溝３９を設けて形成してもよいとする。
【００７８】
図７は（ａ）形成一例となるがその耳掻き１に係る形成を金属製と４０す
る、樹脂製４１、繊維製４２、木製１９、竹製４３の何れかで形成してもよ
いとしそれぞれ示す製材の組み合わせの複数製の段層や混合部材としても
よいものとなりその金属には軽金属や重金属且合金等がありその金属の代
表としてステンレス、チタン、スチール、真鍮、黄銅、アルミニウム、亜鉛
などありその耳掻き１を金属として形成する一例として該耳掻き１もしく
は一端形成や他端等の金属形成部に該金属より軟らかい部材またはその金
属と異なる部材からなる高硬度や低硬度等の複数の部材の組み合わせで被
覆等により設けることによりその金属なる前途記す人への違和感はなくな
るものとなりまた尚その樹脂製４１は前途記した通りとなりその繊維には
植物繊維や合成繊維、天然繊維、化学繊維、動物繊維、鉱物繊維、食物繊維、
半合成繊維、再生繊維、ガラス繊維、炭素繊維、人造鉱物繊維、天然竹繊維
等があり特にその繊維の代表とする天然羽毛、羽毛、脱脂綿、天然コットン、
パルプ、紙などがあり更にその木製１９の一例として杉や檜、檜葉、松、欅、
栂、栗、姫椿等があり尚その竹製４３の一例として天然竹、人工竹、虎斑竹、
淡竹、孟宋竹、亀甲竹、袋竹、黒竹、スズ竹、図面竹、ゴマ竹、紋竹、煤竹、
沈竹等があり（ｂ）はその耳掻き１を耳ツボへ刺激しやすい形成一例となる
が仮に本考案にも記してあるがその耳掻き１を半円柱２１や円柱で示すと
その該円柱等の側面の少なくとも一部に軸方向に長い複数の平面を有すこ
とによる該複数を平行に形成することにより該形成部によるそれぞれの平
行部を指で指圧を掛けやすいものとしその耳掻き１の他端形成となる弾性
体２の突出部６で耳に多数属す耳ツボを押しやすい形成となりまたその棒
状軸部３に該軸部を介して軸方向に長い滑り止め４４部材を設けたことに
より該滑り止め４４部材によりその耳への刺激が行いやすい形成としたも
のとなり尚その滑り止め４４部材は塗布する滑り止め４４剤を使用しても
よいものとしまた簡易形成となるその耳掻き１に係る棒状軸部３に軸方向
に長くの範囲で形成するように複数の凹部４５の溝を設けたものとなりそ
の溝により指が滑りにくくしてそれぞれの耳ツボに刺激を与えやすい形成
としまたその棒状軸部の側面に軸方向に長い網目部材３１もしくは繊維の
固着部を有する形成となりその該固着部等によりその耳掻き１を滑りにく
くし耳ツボへの刺激を与えやすい形成とし更にその耳掻き１を樹脂で形成
し該樹脂を熱可塑性樹脂として仮に全体の１００％に対し該熱可塑性樹脂
を９３％として該樹脂に７％ゴムを加え形成したものとなるがそれぞれを
合わせる形成とすることによりその樹脂はゴム７％によりその耳掻き１に
係るスプーン形状先端部が耳内に優しく接するものとなり尚その耳掻き１
は樹脂で形成する耳掻き１は凝縮形成しない限り軽量部材となる手になじ
みにくい重さとなりやすい為そのゴムの重みで該手になじみやすい重量と
なり仮にそれぞれ記した滑り止め４４はその棒状軸部３より滑りにくい部
材を使用することやその棒状軸部３形状からなる該軸部側面を曲度とする
ことや凹凸部等のいずれかを形成としてもよいものとなりその棒状軸部３
の少なくとも一部にすべり止め４４部分を有す形成であればよいものとな
る。
【００７９】
図８は（ａ）は棒状軸部３の形状一例を示したものとなり該軸部を円柱で
形成する、半円柱で形成する、多角形で形成する、またはその棒状軸部３の
少なくとも一部が該棒状軸部より細い部分があるそのような形状となりま
た子供の耳掻き１で使用する一例として該子供の耳穴の長さに合わせたサ
イズ等のその棒状軸部３に耳穴最奥を知らせるストッパーもしくは目盛り
を設けてもよいものとなり（ｂ）はその棒状軸部３から該軸部一端且他端形
成を着脱可能に形成したものとなり該着脱は螺旋凹凸４６のそれぞれで行
うものとして形成してもよいものとし（ｃ）は前記網目部材３１の目４６の
形状一例を示したものとなり該目４６は軸方向に長い形状とすることや該
軸方向と異なる幅方向に長い形状としてもよいのものなりその網目部材３
１形状によりその目４６は軸方向に対し斜めになることもありまた図示は
ないがその耳掻き１の一端に係る形成や且他端に係る形成のそれぞれの逆
端は異なる形成としてもよいものとし該異なる形成の一例としてその軸よ
り幅の広い形状部があることや該形状部をこけしの形状やキャラクターと
することがあり更に何もないその軸部端を利用した形状もありまたその網
目形状の大きさは目４６の幅が大きいほど目詰り防止しやすいものとする
が仮に３０メッシュ以上且３０メッシュ以下としてよいとし更にその網目
部材３１の目４６の大きさを複数の大きさで形成してもよいとしまた仮に
その第二の軟質部材７の後方の肉厚を厚くして該肉厚を利用して耳穴の最
奥を知らせるストッパーとしてもよいとし尚そのスプーン形状部４に孔ま
たは複数孔を設け形成してもよいとし仮に一例となるがその棒状軸部３ま
たは弾性体２及び軟質部材５にそれぞれの部材高肉厚もしくは他部材のど
ちらか一つを利用してそのストッパー形成を行う形成としてもよいとし（ｄ）
は仮に一例形成となるがその耳掻き１に係る棒状軸部３一端と他端に網目
部材３１を被覆したものとなりその網目部材３１を有す耳掻きは使い捨て
とすればその網目部材３１の目に目詰りを起こしても捨ててしまう為気に
することないがその耳掻き１を通常使用する耳掻き１とする場合その網目
部分３１に該網目を凹凸を残すように滑材で積雪せせることによりその網
目に係る耳垢は取れやすい且滑りやすくなり耳穴との接触を優しいものと
しその網目形成は前回登録となる耳掻き形成等にも応用できその網目部材
３１の被覆形状はその棒状軸部より少なくとも一部が肉厚の厚い部分とな
ればどのような３次元形状でもよいとし該形状の一例として楕円体やキノ
コ形状等があり尚その一端形成且他端形成とするその網目形成を異なる大
きさとして形成してもよいものとしまたそれぞれの端形成は大きさが同じ
で大きさでもよいとしその網目部材３１は棒状軸部３にしっかりと当接し
ており該当節を固定手段または固定部材のいずれかを介して設けて形成し
てもよいとしその網目の目の大きさは大きめのメッシュを選択すると目詰
りしにくい目となる為良い形成にすることが可能となりまた一例としてそ
の従来綿棒となる耳掻き形成にそれぞれ記す形成を追加させ形成しても良
いとする。
【００８０】
図９は全て一例となるが（ａ）は前途記したその耳掻き１の他端形成に係
る弾性体２の形成一例を示したものとなりその弾性体２に該弾性体２より
軟らかい部材を覆うことにより耳内に心地よい接触を得られるものとなり
またその弾性体２の硬度によりその軟らかい部材が壊れやすくなることを
防ぐものとし仮にその弾性体２のほぼ中心付近にその軟質部材５を設ける
ことにより該軟質素材周面により耳垢を除去しやすい形成となりまたその
弾性体２周面はその軟質素材５を介して接触させる為その耳掻き１は耳内
に優しく接し且その弾性体２周面で安らぎを与えるものとなり仮に耳ツボ
へのマッサージ器具は沢山あるがそのスプーン形状部４で耳垢を処理後そ
の耳掻き１を逆向きとなるように持ち変え耳マッサージが行えるというそ
の同じ耳構造内で作用変えをスムーズに行えるものとし（ｂ）はその弾性体
２周面からそれぞれの突起が突出する該突出頂部や弾性体２等に少なくと
も一つ以上のマグネットガウスもしくは高硬度部材を設けたものとなり仮
にその頂部に係る部材の作用効果により耳内の血行促進を促すものとし尚
その弾性体２の伸縮効果によりその弾性体２周面等を伝い圧力を逃がす為
複数ある耳ツボに与える刺激を抑え優しい該刺激とし尚仮にその高硬度部
材を鉱石として該鉱石を電解石として形成してもよいものとしその電解石
の一例としてトルマリン等があり（ｃ）はその耳掻き１の細さを介する一端
且他端形成とする為その耳内に挿入刺激に関連させえる最も良いその細さ
を利用するその弾性体方向から耳の内部に差し込み耳内マッサージを行え
る形状とする為くすぐったい一歩手前の快楽を得ることが可能となりまた
その形成は少し癒し感を与えるその耳内をくすぐるという安息イメージ形
成してもよいとしその外耳道を介して軟骨部等を刺激する為快楽をえるこ
とができるものとなり仮にその第二の軟質部材７の前方３０肉厚を４ミリ
とし後方端部５２肉厚を５ミリとすることによりそれぞれの１ミリの誤差
なるン肉厚によりその耳掻き１を挿入案内が５ミリに差しかかる時にこれ
以上挿入してはいけないという肉厚によるストッパー形成も可能となり前
途記したが特に耳掻き１形成はスプーン形状部４の角度滑りやすい材質等
にこだわるとその耳穴をがりがり削ることなく耳垢除去を快適に行えるも
のとなり全文で記す材は剤に置き換えて形成すること可能となる。
【符号の説明】
【００８１】
１  耳掻き
２  弾性体
３  棒状軸部
４  スプーン形状部
５  軟質部材
６  突出部
７  第二の軟質部材
８  第二の突出部
９  固定部材
１０  先端
１１  突起
１２  小突起
１３  短毛部
１４  球面
１５  平面
１６  表面側
１７  半形状
１８  滑材
１９  木製
２０  つげ
２１  半円柱
２２  平面部
２３  第二の平面部
２４  軸方向に長い形状
２５  円球
２６  円球視
２７  溝
２８  肉厚の厚い形状部
２９  多孔質
３０  前方
３１  網目部材
３３  綿
３４  ウレタン
３５  樹脂
３６  顔料
３７  蛍光部
３８  クッション部材
３９  交差する複数溝
４０  金属製
４１  樹脂製
４２  繊維製
４３  竹製
４４  滑り止め
４５  凹部
４６  網目の目
４７  螺旋凹凸
４８  前突出
４９  後突出
５０  弾性体より軟らかい部材
５１  繋ぎ目部分
５２  後方端部
【図１】
0003198156.tif 000003
【図２】
0003198156.tif 000004
【図３】
0003198156.tif 000005
【図４】
0003198156.tif 000006
【図５】
0003198156.tif 000007
【図６】
0003198156.tif 000008
【図７】
0003198156.tif 000009
【図８】
0003198156.tif 000010
【図９】
0003198156.tif 000011